(57)【要約】【課題】面精度がすぐれ、耐震性もよく、それでいて使用する部材種類も少なくかつ平面部およびコーナー部ともに施工性がよく、美麗な壁を短期間で安価に築造することができるレンガ等小片状部材を用いた壁構造およびその施工方法を提供する。【解決手段】面板部４０の上端縁に長手方向の端部を除いて垂れ片４２を屈曲形成する一方、面板部４０の下端縁に立上り片４４を屈曲形成しており、前記面板部４０をもって下地構造側に多段状に配列固定されたレール状金物４と、上面に長さ方向に走る溝１０，２０を有し、下面にも長さ方向に走る溝１０’、２０’を有し、上面の前記溝１０，２０をもって前記垂れ片４２に嵌合され、下面の溝１０’、２０’をもって前記立上り片４４に嵌合された多数の小片状部材１，２とで壁を形成する。【選択図】図３
2004324119.tif 000002
【特許請求の範囲】
【請求項１】
面板部４０の上端縁に長手方向の端部を除いて垂れ片４２を屈曲形成する一方、面板部４０の下端縁に立上り片４４を屈曲形成しており、前記面板部４０をもって下地構造側に多段状に配列固定されたレール状金物４と、上面に長さ方向に走る溝１０，２０を有し、下面にも長さ方向に走る溝１０’、２０’を有し、上面の前記溝１０，２０をもって前記垂れ片４２に嵌合され、下面の溝１０’、２０’をもって前記立上り片４４に嵌合された多数の小片状部材１，２と、前記レール状金物４の垂れ片４２と立上がり片４４によって各々が支持された小片状部材１，２の隙間を埋める如くレール状金物４に塗着された目地８とを備えていることを特徴とするレンガ等小片状部材を用いた壁構造。
【請求項２】
面板部４０の上端縁に長手方向の端部を除いて垂れ片４２を屈曲形成する一方、面板部４０の下端縁に立上り片４４を屈曲形成しており、前記面板部４０をもって下地構造側に多段状に配列固定されたレール状金物４と、上面に長さ方向に走る溝１０，２０を有し、下面にも長さ方向に走る溝１０’、２０’を有し、かつ溝よりも前面側に長手方向に走る突起条１１、２１、１１’、２１’を有しており、上面の前記溝１０，２０をもって前記垂れ片４２に嵌合され、下面の溝１０’、２０’をもって前記立上り片４４に嵌合された多数の小片状部材１，２とを備え、前記突起条１１、２１、１１’、２１’によって目地様部分を形成していることを特徴とするレンガ等小片状部材を用いた壁構造。
【請求項３】
レール状金物４の背後の下地構造に所要間隔ごとに固定され、水準出し用の位置決め突起５０，５０’、５１，５１’を下端から高さ方向で一定間隔で形成している施工用ガイド板５，５’をさらに有し、前記レール状金物４が、前記施工用ガイド板５，５’の各段の位置決め突起５０，５０’、５１，５１’に当接させて配列されている請求項１または２に記載の小片状部材を用いた壁構造。
【請求項４】
レール状金物４が、面板部から張り出す上下の水平部４１，４３に複数個の排水用孔４５を有している請求項１または２に記載のレンガ等小片状部材を用いた壁構造。
【請求項５】
面板部４０の上端に水平部４１とこれに続き下向き屈曲した垂れ片４２を有し、下端に水平部４３とこれに続き上向き屈曲した立上り片４４を有し、前記垂れ片４２が長手方向の端部において所定寸法欠設されている複数のレール状金物４を、前記面板部４０をもって下地構造側に対して多段状に配置固定することを繰り返す工程と、平面部においては、上端面と下端面にそれぞれ長手方向に走る溝１０、１０’を有する多数の小片状部材１を、前記上面の溝１０を前記レール状金物４の垂れ片４２に、下面の溝１０’を前記立上り片４４とそれぞれ嵌合するように差し込んで配列し、コーナー部においては、屈曲状小片状部材２の長辺側の上面溝２０を前記レール状金物４の垂れ片４２に、下面の溝２０’を前記立上り片４４とそれぞれ嵌合させ、短辺側は垂れ片４２の長手方向端部における欠設部分４２０を介してレール状金物４の面板部４０に当接ないし近接させる工程と、配列済みの小片状部材相互間の隙間にレール状金物４を下地として目地材８を塗着する工程とからなることを特徴とするレンガ等小片状部材を用いた壁の施工方法。
【請求項６】
面板部４０の上端に水平部４１とこれに続き下向き屈曲した垂れ片４２を有し、下端に水平部４３とこれに続き上向き屈曲した立上り片４４を有し、前記垂れ片４２が長手方向の端部において所定寸法欠設されている複数のレール状金物４を、前記面板部４０をもって下地構造側に対して多段状に配置固定することを繰り返す工程と、平面部においては、上端面と下端面にそれぞれ長手方向に走る溝１０，１０’を有しかつ溝よりも前面側に長手方向に走る突起条１１、１１’を有する多数の小片状部材１’を、前記上面の溝１０を前記レール状金物４の垂れ片４２に、下面の溝１０’を前記立上り片４４とそれぞれ嵌合するように差し込んで配列し、突起条１１、１１’によって目地様部分を形成し、コーナー部においては、屈曲状小片状部材２の長辺側の上面溝２０を前記レール状金物４の垂れ片４２に、下面の溝２０’を前記立上り片４４とそれぞれ嵌合させ、短辺側は垂れ片４２の長手方向端部における欠設部分４２０を介してレール状金物４の面板部４０に当接ないし近接させ、かつ溝よりも前面側の長手方向に走る突起条２１、２１’によって目地様部分を形成する工程を行うことを特徴とするレンガ等小片状部材を用いた壁の施工方法。
【請求項７】
下地構造に位置決め突起５０，５０’、５１，５１’が一定間隔ごとに突出した帯板状の施工用ガイド板５，５’を所定間隔ごとに固定する工程と前記水平部が施工用ガイド板５，５’の位置決め突起５０，５０’、５１，５１’に当接するように配置固定することを繰り返す工程をさらに含む請求項５または６のいずれかに記載のレンガ等小片状部材を用いた壁の施工方法。
【発明の詳細な説明】
【０００１】
【発明の属する技術分野】
本発明はレンガやタイルなどの小片状部材を仕上げ材として使用した壁構造およびその施工方法に関する。
【０００２】
【従来の技術】
建物の外壁やその施工法として、レンガ張りで代表される小片状の部材を多数貼り付けた方式が汎用されつつある。
かかるレンガを用材とする壁状体の施工法として、下地としてモルタル層を設け、このモルタル層に２０ｍｍないし２５ｍｍの厚肉プレート状のレンガを押し付けて圧着する方法が一般に採用されていたが、縦、横および前後のレベル出しが難しく、施工に高い熟練度を必要としてしかも非常に手間と時間がかかり、施工コストが高くなる点、レンガの背面がモルタルに圧着されているだけであるため、地震等によってレンガがモルタル層から剥離、滑落しやすい点、モルタルを下地としているため、モルタル成分中のいわゆる灰汁がレンガのポアを通して外部ににじみ出るため、白華現象やいわゆる耳垂れが発生しやすく、それによってレンガが汚損され、しかもそうした汚れはレンガの表面を洗っても除去することができないため経時的に外観が劣化し、前述した滑落の改修とともに高価なメンテナンス工事を必要とする点に問題があった。
【０００３】
この対策として、本出願人は、特願２００１―２７４７０１号において、改善した壁状体とその施工法を提案している。このものは、下地に所定間隔で固定した胴縁と交差するようにレール状金物を多段状に配列固定し、それらレール状金物に小片状部材を上部の溝と下部の平坦面をもって受支させるように配置し、各小片状部材間の隙間を埋める如くレール状金物に目地を塗着することでレンガ壁面を築造するようにしている。
【０００４】
【発明が解決しようとする課題】
しかし、この先行技術は、図２５のように、レール状金物４０００がレンガの上面の溝と垂れ部で係合しているが、れんがの下面はレール状金物４０００の水平部４００１に置かれているだけであるため、レンガ取付け操作のミスや振動などによってレンガの下部が外方に飛び出しやすい。このため、レンガが落下して破損したり、煩雑な手直しをしながら施工を行なわなければならないので、施工効率が下がるという問題があった。
【０００５】
また、目地モルタルを詰める際にレンガが突出した状態で行なわれる可能性があるため面精度が芳しくなく、仕上がり状態に凹凸が生じやすい。これを避けるには、いちいち煩雑な修正を行なってから目地を施工しなければならなかった。また、れんがの下面がレール状金物の水平部に置かれているだけであるため、地震の際に面外方向に外れる可能性があり、耐震性が十分とはいえかった。
【０００６】
また、コーナー部分の施工に当たって、出隅ではＬ状役物を用いるが、レール状金物の固定を先に行なってからでは、レンガの取り付けができない。そのため、出隅コーナーの施工は、図２６（ａ）のように、片側（右側）のレール状金物４０００Ｒのみを多段状に固定し、ついで、同図（ｂ）のようにＬ状役物の片側部分２０００ａを取り付け、それから同図（ｃ）のように、Ｌ状役物の他側２０００ｂに他側（左側）のレール状金物４０００Ｌをスライドさせて取り付け、その状態でレール状金物４０００Ｌを固定する作業形式が必要になる。
【０００７】
このため、技能を要しかつ煩雑であり、またレール状金物施工とレンガ施工とを分業化できない。すなわち、左右のレール状金物施工を出隅コーナーにあらかじめ固定してから、Ｌ状役物を取り付ける作業形式を取ることができない。このため、施工効率が悪かった。さらに、レール状金物として、壁面上端用、中間用、下端用の３種類が必要であったため、コストが高くなることを避けられなかった。
【０００８】
本発明は前記のような問題点を解消するためになされたもので、その目的とするところは、面精度がすぐれ、耐震性もよく、それでいて使用する部材種類も少なくかつ平面部およびコーナー部ともに施工性がよく、美麗な壁を短期間で安価に築造することができるレンガ等小片状部材を用いた壁構造およびその施工方法を提供することにある。
また、本発明の第２の目的は、さらに平行精度も優れ、作業性もよいレンガ等小片状部材を用いた壁構造およびその施工方法を提供することにある。
【０００９】
本発明の第３の目的は、上記特徴に加え、さらに、排水機能がよく、万一雨水などが小片状部材の背面に回っても、凍結膨張によって小片状部材を押し出したり、落下させたりしないレンガ等小片状部材を用いた壁構造およびその施工方法を提供することにある。
【００１０】
本発明において、「小片状部材」は、レンガ類、陶器、磁器、せっき質などのタイル類で代表される粘土製品のほか、石材、木材、プラスチック、金属など各種の壁仕上げ材料を含む。
また、「壁」とは、建家における本体やベランダなどの外壁のほか、塀、門柱、あるいは建家の内装壁などを含む概念である。
【００１１】
【課題を解決するための手段】
第１の目的を達成するための本発明の小片状部材を用いた壁構造は、面板部の上端縁に長手方向の端部を除いて垂れ片を屈曲形成する一方、面板部の下端縁に立上り片を屈曲形成しており、前記面板部をもって下地構造側に多段状に配列固定されたレール状金物と、上面に長さ方向に走る溝を有し、下面にも長さ方向に走る溝を有し、上面の前記溝をもって前記垂れ片に嵌合され、下面の溝をもって前記立上り片に嵌合された多数の小片状部材と、前記レール状金物の垂れ片と立上がり片によって各々が支持された小片状部材の隙間を埋める如くレール状金物に塗着された目地とを備えていることを特徴としている。
【００１２】
また、面板部の上端縁に長手方向の端部を除いて垂れ片を屈曲形成する一方、面板部の下端縁に立上り片を屈曲形成しており、前記面板部をもって下地構造側に多段状に配列固定されたレール状金物と、上面に長さ方向に走る溝を有し、下面にも長さ方向に走る溝を有し、かつ溝よりも前面側に長手方向に走る突起条を有しており、上面の前記溝をもって前記垂れ片に嵌合され、下面の溝をもって前記立上り片に嵌合され、さらに突起条によって目地様部分を形成した多数の小片状部材とを備えていることを特徴としている。
この後者の構成によれば、特に目地を設けなくても小片状部材そのもので目地と同じような部分が形成されるので、工期の短縮とコストの削減を図ることができる。
【００１３】
また、第１の目的を達成するための本発明の施工法は、面板部の上端に水平部とこれに続き下向き屈曲した垂れ片を有し、下端に水平部とこれに続き上向き屈曲した立上り片を有し、前記垂れ片が長手方向の端部において所定寸法欠設されている複数のレール状金物を、前記面板部をもって下地構造側に対して多段状に配置固定することを繰り返す工程と、平面部においては、上端面と下端面にそれぞれ長手方向に走る溝を有する多数の小片状部材を、前記上面の溝を前記レール状金物の垂れ片に、下面の溝を前記立上り片とそれぞれ嵌合するように差し込んで配列し、コーナー部においては、屈曲状小片状部材の長辺側の上面溝を前記レール状金物の垂れ片に、下面の溝を前記立上り片とそれぞれ嵌合させ、短辺側は垂れ片の長手方向端部における欠設部分を介してレール状金物の面板部に当接ないし近接させる工程と、配列済みの小片状部材相互間の隙間にレール状金物を下地として目地材を塗着する工程を行うことを特徴としている。
【００１４】
また、面板部の上端に水平部とこれに続き下向き屈曲した垂れ片を有し、下端に水平部とこれに続き上向き屈曲した立上り片を有し、前記垂れ片が長手方向の端部において所定寸法欠設されている複数のレール状金物を、前記面板部をもって下地構造側に対して多段状に配置固定することを繰り返す工程と、平面部においては、上端面と下端面にそれぞれ長手方向に走る溝を有しかつ溝よりも前面側に長手方向に走る突起条を有する多数の小片状部材を、前記上面の溝を前記レール状金物の垂れ片に、下面の溝を前記立上り片とそれぞれ嵌合するように差し込んで配列し、突起条によって目地様部分を形成し、コーナー部においては、屈曲状小片状部材の長辺側の上面溝を前記レール状金物の垂れ片に、下面の溝を前記立上り片とそれぞれ嵌合させ、短辺側は垂れ片の長手方向端部における欠設部分を介してレール状金物の面板部に当接ないし近接させ、かつ溝よりも前面側の長手方向に走る突起条によって目地様部分を形成する工程とからなることを特徴としている。
【００１５】
また、第２の目的を達成するため本発明の小片状部材を用いた壁構造は、前記構成に加え、レール状金物の背後の下地構造に所要間隔ごとに固定され、水準出し用の位置決め突起を下端から高さ方向で一定間隔で形成している施工用ガイド板をさらに有し、前記レール状金物が、前記施工用ガイド板の各段の位置決め突起に当接させて配列されていることを特徴としている。
【００１６】
第２の目的を達成するため本発明の小片状部材を用いた壁の施工法は、下地構造に位置決め突起が一定間隔ごとに突出した帯板状の施工用ガイド板を所定間隔ごとに固定する工程と、前記水平部が施工用ガイド板の位置決め突起に当接するように配置固定することを繰り返す工程をさらに含んでいることを特徴としている。
第３の目的を達成するため本発明は、レール状金物として、面板部に続く上下の水平部に複数の排水用孔を配していることを特徴としている。
【００１７】
【発明の実施の形態】
以下添付図面を参照して本発明の実施例を説明する。
図１は本発明の第一実施例を示しており、建家のコーナーを含む４つの外面に、第１壁Ｒ１〜第４壁Ｒ４が施工されている。１は標準的な小片状部材（この例ではレンガまたはタイル）、２はコーナーの小片状部材であり、それらは基礎面の近傍から多段状に一定間隔をおいて張設されている。
【００１８】
図２と図３はその詳細を示しており、前記小片状部材１，２は、多数列のレール状金物４によって支持されている。それらレール状金物４は、背後の施工用ガイド板５、５’によって水平出しされ、その状態で耐食性の釘類によって固定されている。そして、配列した標準的小片状部材１やコーナー小片状部材２の上下、左右間のレール状金物４には目地材８が塗着されている。
なお、レール状金物４と施工用ガイド板５、５’は下地構造に固定される。下地構造は、下地（既存の壁である場合を含む）３、あるいは下地３に一定のピッチで打ち付けた樹脂製や木製の胴縁６，６を含んでおり、施工用ガイド板５、５’は所要間隔ごとに固定される。前記下地３は表面に防水シートなどからなる防水層を有している場合を含んでいる。
【００１９】
図４ないし図８は好適な用材を示している。なお、施工用ガイド板は必ずしも必須の部材ではないが、本発明の利点を最大限発揮させるには有益な用材である。
〔小片状部材〕
小片状部材は、通常、切物と称される標準的小片状部材１と、役物と称されるコーナー用の小片状部材２が施工場所に応じて用いられる。
標準的小片状部材１は、図４（ａ）のように、略長方形状をなし、上端面の略中央部位には、長手方向に走る溝（スリット）１０が形成されている。また、下端面の略中央部位にも、長手方向に走る溝（スリット）１０’が形成されている。寸法としては、たとえば幅（長さ）が２３０ｍｍ、高さ７５ｍｍ、厚さ２５ｍｍ、溝幅は３〜５ｍｍである。
【００２０】
コーナー用の小片状部材２は、図４（ｂ）のように、長辺２ａと短辺２ｂとにより平面略Ｌ状をなし、上端面には平面略Ｌ状をなすように溝（スリット）２０が形成されている。また、下端面にも平面略Ｌ状をなすように溝（スリット）２０’が形成されている。溝２０、２０’は必ずしも連続している必要はない。
寸法としては、たとえば長辺が２３０ｍｍ、短辺が１１０ｍｍ、高さが７５ｍｍ、厚さが２５ｍｍ、溝幅は３〜５ｍｍである。わかりやすくするため、各図では実際よりも幅広に描いている。
前記標準的小片状部材１とコーナー用の小片状部材２の溝１０、１０’，２０、２０’は、後記するレール状金物４における上下の垂れ片と立上り片に嵌めることにより支持させるためのものである。
【００２１】
〔レール状金物について〕
レール状金物４は小片状部材１，２を配列支持するためのもので、耐食性の良好な材料からなっている。その例としては、ステンレス、アルミニウムなどのほか、鋼板あるいは亜鉛や亜鉛／アルミめっき鉄板、合成樹脂成形品などが選択的に用いられる。
【００２２】
レール状金物４は、図５（ａ）ないし（ｄ）にその例を示しており、小片状部材１，２の高さよりも適度に小さい幅（高さ）の面板部４０の上端に面板部４０から直角状に張り出す水平部４１が形成され、これの先端から下方に直角状かまたは直角よりも適度に小さい傾斜角度たとえば８５度に屈曲された垂れ片４２を有している。
【００２３】
前記垂れ片４２は長手方向に走っているが、コーナー領域の施工時にレール状金物４を左右に配置固定した状態で小片状部材２を取付けできるようにするために、長手方向の端部領域には所定寸法にわたって欠設部４２０が形成されている。この部分は垂れが全く無くてもよいが、好ましくは、短い寸法の短垂れ片４２’となっている。
また、面板部４０の下端には、これから直角状に張り出す水平部４３が形成されるとともに、水平部４３の先端には、上方に直角状に屈曲した立上り片４４を有している。
前記上下の水平部４１，４３には、排水用孔４５，４６がそれぞれ板厚を貫いて形成されている。排水用孔４５，４６はスリット、長孔、丸孔など任意である。
【００２４】
図６はレール状金物４と小片状部材１，２の取り合いを示しており、小片状部材１，２を正面から取付けてしかも小片状部材１，２の上下溝を垂れ片４２と立上り片４４に係合支持させるために、次の仕様とすることが、好ましい。
１）レール状金物４の面板部４０の幅（高さ）Ｈは、小片状部材１，２の高さ（幅）よりも大きく、上下の水平部４１，４３の幅（張り出し長さ）Ｄは、小片状部材１，２の厚さよりも小さく、通常約半分とする。
２）垂れ片４２の長さＡと立上り片４４の長さＢは、Ａ＞Ｂの関係にする。
３）小片状部材１，２の上側溝１０、２０の深さＡ’、下側溝１０’、２０’の深さＢ’は、等しくても等しくなくてもよいが、下側溝１０’、２０’の深さＢ’は、立上り片４４の長さＢとの関係で、Ｂ’≧Ｂとする。
【００２５】
４）小片状部材１，２の下面が水平部４３に載置された状態において、垂れ片４２の先端から上側溝１０、２０の底までの距離Ｃと、立上り片４４の長さＢは、Ｃ＞Ｂの関係に、水平部４１から小片状部材１，２の上面までの距離Ｃ’と立上り片４４の長さＢはＣ’＞Ｂの関係とする。
レール状金物４の具体的な例としては、たとえば長さが２０００ｍｍ、全高Ｈ：８７ｍｍ、厚さ０．３０〜０．５０ｍｍ、奥行（面板部外面から垂れ部・立上り部の外面までの距離）：１５ｍｍ、垂れ片長さＡ：１５．６ｍｍ、立上り片長さＢ：５ｍｍ、切欠部形成長さ：６０ｍｍである。
【００２６】
〔施工用ガイド板について〕
この施工用ガイド板５、５’は、本発明において必須の用材ではないが、レール状金物４と併用することで施工作業性と平行精度を向上できる。
施工用ガイド板は平面領域用とコーナー用の２種からなり、いずれも耐食性の良好な帯板を精密金型で板金加工されてなる。その例としては、ステンレス、アルミニウムなどのほか、鋼板あるいは亜鉛や亜鉛／アルミめっき鉄板などがあげられる。しかし、場合によっては合成樹脂成形品などであってもよい。
【００２７】
図７は平面領域用の施工用ガイド板５を例示している。この施工用ガイド板５は、たとえば長さが２ｍ、横幅が１００ｍｍ、厚さが０．３０〜０．５０ｍｍの帯板からなり、幅方向両側の下端縁に、前方に適度の量で水平状に張り出す位置決め突起５０，５０’を有し、この下端縁の位置決め突起５０，５０’から所定の等間隔すなわち、前記レール状金物４の高さＨより適度に大きな間隔（たとえば９０〜９５ｍｍピッチ）で位置決め突起５１，５１’が順次形成されており、また、幅方向中央線上には、所定の間隔で通孔５３が穿設されている。この多数の通孔５３は釘類を打ち込むための孔として機能するほか、後述するコーナー用に屈曲する場合の曲げ基準として機能する。
【００２８】
前記位置決め突起５１，５１’は任意の方法で得てよいが、この例では切り起しによって構成されている。すなわち、素帯板の幅方向両側部分に一端が側縁に達するＬ状カット線を所定ピッチで加工し、そのＬ状カット線の縦頂点を素帯板の板面と直角に屈曲することにより作られている。そして、必要な長さの位置で縦頂点を結ぶ線上で切断しており、したがって、最上位には縦頂点の高さに相当する突辺が形成される。この突辺は、高さ方向での継ぎ足しの際の定規として機能する。
【００２９】
図８（ａ）（ｂ）はコーナー施工用ガイド板５’の第１例（凸コーナー用）を示しており、図４の施工用ガイド板５における中央線上の各通孔５３を基準として板幅方向中央に沿って外側方向に屈曲されてなり、折り曲げ線５５を境としてそれぞれの半部に位置決め突起５０，５０’と位置決め突起５１，５１’が配されている。
図８（ｃ）は施工用ガイド板５’の第２例（凹コーナー用）を示しており、図４の施工用ガイド板５における中央線上の通孔５３を定規として板幅方向中央に沿って内側方向に屈曲され、それぞれの半部に位置決め突起５０，５０’と位置決め突起５１，５１’が配されている。
【００３０】
次に、本発明の第１実施例の施工方法を、用材として、施工用ガイド板５を併用した場合でもって説明すると、図９ないし図１８はそれを段階的に示している。
まず、図９のように、防水性の下地構造この例では下地３に胴縁６を所定の間隔たとえば４０〜５０ｃｍで配し、釘類７で固定する。
ついで、建物の下端付近面に平面用とコーナー用の各施工用ガイド板５，５’を配し、所要間隔ごとの胴縁６，６に施工用ガイド板５，５’を固定する。
【００３１】
詳しく述べると、建物の下端付近面に正しく水平度を取った基準墨線ＨＬを引き、これを建物周囲に一回引く。そして、この基準墨線ＨＬに平面用のガイドレール板５の位置決め突起５０，５０’を合せ、各通孔５３を通して釘類７を胴縁６，６に打ち込む。また、建物の各隅にコーナー用ガイド板５’を同様に配し、基準墨線ＨＬに平面用ガイドレール板５の下端の位置決め突起５１，５１’を合せ、各通孔５３を通して釘類７を胴縁６，６に打ち込む。各通孔５３はちょうど屈曲縁に沿って配されているので、簡単に胴縁のコーナーに釘類を打ち込み固定できる。これで、東西南北の各面の水平基準ができあがる。図９と図１０はこの状態を示している。
【００３２】
なお、３階建てのような場合には、施工用ガイド板５や５’をそれぞ複数本使用し、最下位の施工用ガイド板の突辺５２を次上位の施工用ガイド板の下縁５４と突合せるように直列に配して胴縁６に固定することで自在に対応できる。
【００３３】
以上のように施工用ガイド板５，５’を固定することにより東西南北各方面の水平基準ができるので、次に、施工用ガイド板５，５’の位置決め突起５０，５０’と中間の位置決め突起５１，５１’にレール状金物４の下側の水平部４３が重なるように当接させ、壁下地の胴縁６，６にくぎ類７で固定する。
詳しく説明すると、レール状金物４の配列固定は、通常、施工部分の最下位から開始するもので、この作業は、レール状金物４を、施工用ガイド板５，５’と交差するように横に配し、下端縁の水平部４３を施工用ガイド板５，５’の下端縁の位置決め突起５０，５０’に載せ、釘類７を胴縁６に打ち込むだけでよいから簡単であり、しかも、下端縁の位置決め突起５０，５０’は前端の工程で水平度が取られているから、自動的にレール状金物４は精度のよい水平配置とされる。これは各４面とも同じである。
【００３４】
ついで、前記最下位の位置決め突起５０，５０’の一つ上（２番目）の位置決め突起５１，５１’と２つ上（３番目）の位置決め突起５１，５１’との間の面部にレール状金物４の面板部４０が当接するように挿入し、下端縁の水平部４３の下面を２番目の位置決め突起５１，５１’に載せる。第１段目用のレール状金物４は上下の間隔が正確に決められている位置決め突起５１，５１’に載せられることにより自動的に水平出し状態での位置決めがなされ、従前のような基準用の墨入れを要しない。固定は、胴縁６，６に対応する部分の面部４０から耐食性の釘類７を打ち込むことにより行なう。
【００３５】
次に、第２番目と第３番目の位置決め突起５１，５１’との間の面部に第２段用のレール状金物４を挿入し、前記と同様に下縁の水平部４３の下面を３番目の位置決め突起５１，５１’に載せ、その状態で標準レール４ｂを釘類７によって胴縁６，６に固定する。以下同様の作業を繰り返すことにより図１１ないし図１３のように、レール状金物４は施工用ガイド板５，５’の各段の位置決め突起５１，５１’を基準として各コーナーも含めて正しく水平度を保たれた状態に張設される。横方向の端部においては、左右のレール状金物４は、施工用ガイド板５，５’の左右の位置決め突起５１，５１’にそれぞれ受支されて水平位置決めされる。
【００３６】
こうして最上位に達するまで作業すると、東西南北４方のすべてのレール状金物４は水平面が一致する。
施工用ガイド板５，５’の左右の位置決め突起５１，５１’に各段のレール状金物４の水平部４３を当接する方式であるから、各レール状金物の面板部の高さ寸法に若干のバラツキがあっても水平度には影響せず、かりにレール状金物が若干の張り誤差が生じても、累積されることがない。したがって小片状部材を後に嵌合した時に小片状部材の水平度が正しく維持される。
【００３７】
なお、図示するものでは、ガイド板を効率的に使用するため、レール状金物４の長さ方向両端部だけをガイド板５，５’の位置決め突起５０，５０’、５１，５１’で受支して水平度を得ているが、もちろん、レール状金物の長さ方向の中間部に対応する胴縁６にガイド板を固定し、それの位置決め突起５０，５０’、５１，５１’でレール状金物の長さ方向の中間部を受支し、水平度をさらに良く確保するようにしてもよい。
【００３８】
以上でレール状金物４の配列固定が終わるので、次に、配列固定したレール状金物４に小片状部材１，２を取り付ける工程に移る。
図１４は平面部領域での小片状部材１の取り付け方を示しており、（ａ）のように小片状部材１の上面の溝１０をレール状金物４の垂れ片４２に深くはめ合わせれば、短い高さの立上り片４４には接触しないので、小片状部材１を斜めから押入れ、（ｂ）のように面板部４０に背面が当接したときに小片状部材１を垂直に下げれば、下面側の溝１０’が立上り片４４に係合し、奥側の下面が水平部４３に受支される。したがって、作業は非常に簡単であり、しかも小片状部材１は上部と下部がともに垂れ片４２と立上り片４４に係合されるので、面外方向にずれが生じない。図ではわかりやすくするため溝１０、１０’の幅を実際よりも広く示している。
【００３９】
コーナーの施工は、平面部の施工に先立ってあるいは平行して行なわれるが、左右のレール状金物４、４の垂れ片４２、４２が長手方向端では切欠４２０されている。このため、コーナーにおいては、図１５（ａ）のように、小片状部材２の長辺２ａを右側のレール状金物４の端から挿入する。
【００４０】
こうすれば、小片状部材２の下側の溝２０’が立上り片４４に嵌まり、上側の溝２０が切欠部４２０にガイドされて垂れ片４２に嵌まってゆき、自動的に支持される。もちろん、これに代えて、平面部と同じように小片状部材２を正面から差し込んで、支持させ、それから長辺２ａをスライドさせてもよい。
【００４１】
いずれにしても、短辺２ｂが左側のレール状金物４に近づくと、垂れ片４２は端部領域に切欠部４２０があるため、短辺２ｂは垂れ片４２に衝突して障害を受けることなく内面が面板部４０に当接ないし接近し、この状態で適度に短辺２ｂを持ち上げて降ろすことにより、図１５（ｃ）のように下側の溝２０’が立上り部４４に嵌められる。
したがって、作業が簡単であり、それでいて小片状部材２の長辺２ａがレール状金物４と上下で嵌合し合っているので、面外方向にはずれが生じない。
【００４２】
そして、こうした作業は、左右のレール状金物４、４をすべて配列固定した状態で行なえるので、分業によるスピードアップを図ることができる。また、施工壁の上端部、下端部およびコーナー部が単一のレール状金物４で足り、ことさら下端専用（スターターレール）、上端専用（トップレール）といったものを要さない。
【００４３】
図１６ないし図１８はこのような小片状部材取付け工程の途中の状態を示しており、各小片状部材１，２は溝１０，２０、１０’、２０’よりも前面側が約１／２の厚さ分だけレール状金物４の垂れ片４２と立上り片４４から突出する。なお、図１６と図１８は、嵌合関係をわかりやすくするため、小片状部材１，２にハッチングをつけて示している。
レール状金物４の垂れ片４２を水平部４１に対して垂直でなく、適度の傾斜角度で内側に傾斜させた場合には、溝１０，２０の幅を広くしても、前記小片状部材の取り付け時において、傾斜状の垂れ片４２によって溝内側壁がレール状金物４の面板部４０に向けて押しつけられるので、各小片状部材１，２は、取り付けが終わるとガタつかず安定する。
【００４４】
各小片状部材１，２の上下がレール状金物４の垂れ片４２と立上り片４４に嵌合していることとあいまって、地震などによっても剥落することはなく、耐久性を高いものとすることができる。そして、前段の作業でレール状金物が建物全体に渡って正しく水平度を維持されているので、小片状部材１，２は自動的に上下間隔も一定に揃い、面も整然と揃った配列とされる。
【００４５】
以上のように小片状部材１，２の取付けを行ったのち、小片状部材１，２間の左右、上下のすき間に目地材８を塗込む。かかる作業は目地材８をすき間に押し込むように塗付け、コテで仕上げるだけの操作で足りる。上下のすき間については、この部分にレール状金物４の垂れ片４２と立上り片４４が位置していることによりそれらの表面が塗布基準面となるため簡単であり、目地材８の一部が溝１０，２０と垂れ片４２の隙間や溝１０’，２０’と立上り片４４の隙間に流入するため、小片状部材１，２はより確実に固定される。
左右は垂れ片４２と立上り片４４が基準面となるほか、各小片状部材が面板部４０に接している関係からレンガ左右端面間に溝が形成され、目地材はこれらの溝によって充填量が規制される。
【００４６】
以上のようにして図１ないし図３に示すように壁が完成する。得られた壁は、小片状部材１，２の平行精度、面精度がともによいものとなる。まんいち水が壁の背面側に浸入しても、上下の水平部４１，４３の板厚を貫いて排水用孔４５，４５が配されているので、これらの排水用孔４５，４５を介して上方から下方へと誘導されて最下段のレール状金物４から排水される。このため、裏に回った水が冬季に凍結して膨張し、小片状部材１，２を面外方向に押し出して落下させる懸念がなくなる。
【００４７】
図１９と図２０は本発明の第２実施例を示している。この実施例においては、用材として施工用ガイド板５，５’を使用せず、既存の手法で水平出しを行なってレール状金物４を下地構造に直接固定し、それらレール状金物４に小片状部材１，２を取り付け、目地８を施している。
他の構成は第１実施例と同じであるから説明を援用する。この第２実施例も、施工用ガイド板５，５’の採用による点を除いて、前記した作用が得られる。
【００４８】
図２１ないし２４は本発明の第３実施例を示している。この実施例は、目地塗工を全廃ないし大幅に簡易化できる態様であり、そのための手段として、特殊な小片状部材１’，２’を用いる。他の使用部材は第１実施例や第２実施例と同様であるから、説明は援用するものとする。図２４は、ガイド板５，５’を使用した例（第１実施例方式）を示しているが、もちろんガイド板５，５’を使用しない第２実施例の態様としてもよい。
【００４９】
小片状部材１’，２’は、上下面にそれぞれ長手方向に走る溝１０，１０’、２０，２０’を有しているが、目地の役目を果たさせるために、上面の溝１０，２０の前面側に、上面１００のレベルよりも上方に延びる突起条１１，２１を形成している。前記突起条１１，２１は背壁面が溝１０，２０に臨むように小片状部材の厚さ方向中間に形成され、突起条１１，２１の前面側付根からは適度な下がり斜面１２、２２が形成されている。
前記突起条１１，２１の許容される最大高さはレール状金物４に取り付けた時に、垂れ片４２の始端に達するまでであり、それ以上では、上段のレール状金物４に対する次段の小片状部材１’，２’の取り付けがやりにくくなるため好ましくない。上下面の溝１０，１０’、２０，２０’は、厚さ方向の中央よりもやや後側よりに偏して設けられる。
【００５０】
小片状部材の上部側だけに突起条１１，２１を形成してもよいが、目地の感じをよく出すとともにレール状金物４を完全に隠蔽するために、小片状部材の下部側にも突起条１１’，２１’を形成することが好ましい。これら下部側の突起条１１’，２１’は、下面１０１，２０１の溝１０’、２０’よりも厚さ方向で前面側に突出形成され、小片状部材前面１０３，２０３と面一になっている。その突起条１１’，２１’の厚さは、溝１０’、２０’との間に下段の小片状部材の突起条１１，２１を容入可能な寸法が選定される。
【００５１】
第３実施例の施工法は、基本的に前記第１実施例や第２実施例と同じである。
平面領域の施工においては、図２２（ａ）（ｂ）（ｃ）のように、小片状部材１’の上面の溝１０をレール状金物４の垂れ片４２に嵌め、ついで小片状部材１’を下げて下面の溝１０’を立上り片４４に嵌合すればよい。これにより、上側の突起条１１は垂れ片４２の前面側に位置し、下側の突起条１１’は立上り片４４の前面側においてこれと水平部４３のレベルを超えて下方に適度に延びる。
コーナー領域の施工においては、図２３のように小片状部材２’の長辺側を右方のレール状金物４に向けて側方からスライドさせ、上面の溝２０を垂れ片４２に嵌め合わせ、下面の溝２０’を立上り片４４に嵌め合わせればよい。このときに、上側の突起条２１の内面が垂れ片４２の外面に対するガイドとなるので、作業が楽になる。長辺側を限度までスライドさせると短辺側は垂れ片４２の切欠部４２０を通して面板部に接近し、下面側の溝２０’が立上り片４４に嵌められることで支持される。このときに、垂れ片４２の切欠部４２０は上側の突起条２１によって隠すことができ、体裁がよくなる。
【００５２】
各段に前記取り付けを行うことにより、図２４のように、各小片状部材１’，２’の上下がレール状金物４の垂れ片４２と立上り片４４に嵌合して安定的に支持される。
そして、この第３実施例では、小片状部材１’，２’における上部の突起条１１、２１が垂れ片４２を覆い隠すように前面に立ち上がっており、同時に、上段の小片状部材１’，２’の下部の突起条１１’，２１’が上部の突起条１１、２１と噛合うように下方に延びるので、レール状金物４の垂れ片４２、立上り片４４が覆い隠される。
そして、下段の小片状部材１’，２’の突起条１１、２１と、これの根元の斜面１２、２２、および上段の小片状部材１’，２’の下部の突起条１１’，２１’とで壁前面から適度に窪んだ目地様の溝条が画成される。したがって、特に目地を塗着しなくてもよくなり、工事をより簡単に、短期間で行なえる。
【００５３】
第３実施例を利用した態様として、レール状金物４に対する小片状部材１’，２’の取付け時に、モルタルなどを上面の溝１０、２０に充填して行なってもよく、あるいは、目地を塗着しないが、下段の小片状部材１’，２’の突起条１１、２１と、これの根元の斜面１２、２２、および上段の小片状部材１’，２’の下部の突起条１１’，２１’とで壁前面から適度に窪んだ溝条に、薄くモルタルなどを化粧として施してもよい。
なお、第１実施例または第２実施例のように目地塗工形式と、第３実施例の目地レス形式を併用して、壁全体の施工を行なってもよく、これも本発明に含まれる。
【００５４】
本発明は以上のとおりであるが、下地構造にレール状金物を多段状に配列固定し、それらレール状金物に小片状部材を配置し、各小片状部材間の隙間を埋める如くレール状金物に目地を塗着することで構成される壁のためのレール状金物であって、該レール状金物が、下地構造に固定される面板部の上下端縁に、小片状部材の上面側と係合する垂れ片と小片状部材の下面側と係合する立上り片を有し、かつ、前記垂れ片が長手方向の端部において所定寸法欠設されていることを特徴とするレンガ壁施工用レール状金物を、要旨として含んでいる。
【００５５】
【発明の効果】
以上説明した本発明の請求項１、５によるときには、長さ方向に走る溝１０，２０を上面に有し、下面にも長さ方向に走る溝１０’、２０’を有する多数の小片状部材１，２と、面板部４０の上下端縁に前記小片状部材上面の溝１０，２０と嵌合する垂れ片４２と小片状部材下面の溝１０’，２０’と係合する立上り片４４をそれぞれ有し、前記面板部４０をもって下地構造側に多段状に配列固定されたレール状金物４を組み合わせているので、施工性がよく、しかも前記垂れ片４２が長手方向の端部において所定寸法欠設されているので、コーナー部も小片状部材２をスライドさせることで容易に施工することができる。
また、小片状部材１，２とレール状金物４が溝１０，２０、１０’、２０’と垂れ片４２、立上り片４４とによって上下で嵌合しているので、面外方向にずれず面精度を高くすることができるとともに、耐震性を高くすることができる。
さらに、施工する壁のどの部位でもレール状金物４は１種類にすることもできるので、管理や施工が容易で、コストも低減できる。
【００５６】
請求項２、６によれば、小片状部材１’，２’が、上面に長さ方向に走る溝１０，２０を有し、下面にも長さ方向に走る溝１０’、２０’を有し、かつ溝よりも前面側に長手方向に走る突起条１１，２１、１１’、２１’を有しており、上面の前記溝１０，２０をもって前記垂れ片４２に嵌合され、下面の溝１０’、２０’をもって前記立上り片４４に嵌合された多数の小片状部材１，２とを備え、前記突起条１１，２１、１１’、２１’によって目地様部分が形成されるので、目地塗工工程を省略することも可能となり、工事を短期間で簡単に、かつ低コストで行えるというすぐれた効果が得られる。
【００５７】
請求項３，７によれば、さらに、レール状金物４の背後の下地構造に所要間隔ごとに固定され、水準出し用の位置決め突起５０，５０’、５１，５１’を下端から高さ方向で一定間隔で形成している施工用ガイド板５，５’をさらに有し、前記レール状金物４が、前記施工用ガイド板５，５’の各段の位置決め突起５０，５０’、５１，５１’に当接させて配列されるので、基準墨を建物などの四面に一回引き、レール状金物４を単に位置決め突起に当接させつつ固定するだけの簡単で単純な作業により、レール状金物４および小片状部材１，２、１’、２’を高い水平精度で配列固定することが可能となり、仕上後の見映えがよく、品質を高い壁を作ることができる。また、熟練度を必要とせず作業単純化により未熟練工でも作業効率を上げることが出来るので、工期を短く、工費を安く押さえることができる。
【００５８】
請求項４によれば、レール状金物４の上下の水平部４１，４３に排水用孔４５が複数個配されているので、水が壁の背面側に浸入しても、これらの排水用孔４５を介して上方から下方へと誘導されて最下段のレール状金物４から排水される。このため、裏に回った水が冬季に凍結して膨張し、小片状部材１，２を面外方向に押し出して落下させるといった懸念がなく、長期にわたって美麗な壁性状を維持できる効果が得られる。
【図面の簡単な説明】
【図１】（ａ）は本発明の第１実施例による施工例を示す平面図、（ｂ）は（ａ）の部分的斜視図である。
【図２】施工途中の状態を示す斜視図である。
【図３】（ａ）は図１の断面図、（ｂ）はその拡大図である。
【図４】（ａ）は本発明に使用する小片部材の一例を示す斜視図、（ｂ）は他の小片部材を示す斜視図、（ｃ）は縦断面図である。
【図５】（ａ）は本発明で使用するレール状金物の斜視図、（ｂ）はその一部拡大正面図、（ｃ）は（ｂ）のＸ−Ｘ線に沿う断面図、（ｄ）は（ｂ）のＹ−Ｙ線に沿う断面図である。
【図６】本発明におけるレール状金物と小片部材との関係を示す断面図である。
【図７】（ａ）は本発明における平坦部用の施工用ガイド板の一例を示す正面図、（ｂ）はその部分切欠拡大斜視図である。
【図８】（ａ）は本発明におけるコーナー用の施工用ガイド板の一例を示す斜視図、（ｂ）はその拡大断面図、（ｃ）は凹コーナー用とした施工用ガイド板の断面図である。
【図９】下地構造への施工用ガイド板の固定完了状態を示す斜視図である。
【図１０】（ａ）は図９のＹ−Ｙ線に沿う拡大断面図、（ｂ）は図９のＺ−Ｚ線に沿う拡大断面図である。
【図１１】レール状金物の固定完了状態を示す横断面図である。
【図１２】レール状金物の固定完了状態を示す正面図である。
【図１３】レール状金物の固定完了状態を示す側面図である。
【図１４】（ａ）（ｂ）（ｃ）は、レール状金物への小片部材の取り付けを段階的に示す断面図である。
【図１５】（ａ）（ｂ）は、コーナー部におけるレール状金物への小片部材の取り付けを段階的に示す断面図である。
【図１６】レール状金物への小片部材の取り付けを行なっている状態の横断面図である。
【図１７】レール状金物への小片部材の取り付けを行なっている状態の正面図である。
【図１８】レール状金物に小片状部材を取り付けた状態の側面図である。
【図１９】（ａ）は本発明の第２実施例において、レール状金物の固定完了状態を示す横断面図、（ｂ）は正面図、（ｃ）は側面図である。
【図２０】（ａ）は第２実施例のレール状金物への小片部材の取り付けを行なっている状態の横断面図、（ｂ）は正面図である。
【図２１】（ａ）は本発明の第３実施例に使用する小片部材の一例を示す斜視図、（ｂ）は他の小片部材を示す斜視図、（ｃ）は縦断面図である。
【図２２】（ａ）（ｂ）（ｃ）は、第３実施例における、レール状金物への小片部材の取り付けを段階的に示す断面図である。
【図２３】（ａ）（ｂ）は、第３実施例における、コーナー部レール状金物への小片部材の取り付けを段階的に示す断面図である。
【図２４】（ａ）は第３実施例における壁の断面図、（ｂ）はその拡大図である。
【図２５】比較例のレール状金物への小片部材の取り付けを行なっている状態の横断面図である。
【図２６】（ａ）（ｂ）（ｃ）は、比較例におけるコーナー部分でのレール状金物への小片部材の取り付け法を段階的に示す斜視図である。
【符号の説明】
１，２、１’、２’  小片状部材
４    レール状金物
５    施工用ガイド板
８    目地材
１０，２０    上面側の溝
１０’、２０’  下面側の溝
１１，２１  上部の突起条
１１’、２１’  下部の  突起条
４０  面板部
４１，４３    水平部
４２  垂れ片
４４  立上り片
４５  排水用孔
５０，５０’，５１，５１’    位置決め突起
４２０  切欠部
【図１】
2004324119.tif 000003
【図２】
2004324119.tif 000004
【図３】
2004324119.tif 000005
【図４】
2004324119.tif 000006
【図５】
2004324119.tif 000007
【図６】
2004324119.tif 000008
【図７】
2004324119.tif 000009
【図８】
2004324119.tif 000010
【図９】
2004324119.tif 000011
【図１０】
2004324119.tif 000012
【図１１】
2004324119.tif 000013
【図１２】
2004324119.tif 000014
【図１３】
2004324119.tif 000015
【図１４】
2004324119.tif 000016
【図１５】
2004324119.tif 000017
【図１６】
2004324119.tif 000018
【図１７】
2004324119.tif 000019
【図１８】
2004324119.tif 000020
【図１９】
2004324119.tif 000021
【図２０】
2004324119.tif 000022
【図２１】
2004324119.tif 000023
【図２２】
2004324119.tif 000024
【図２３】
2004324119.tif 000025
【図２４】
2004324119.tif 000026
【図２５】
2004324119.tif 000027
【図２６】
2004324119.tif 000028